(57)【要約】【課題】複数の表示パネルを配列して構成する画像表示装置において、継目が目立たずに、高精細で高い開口率の画像表示装置を提供すること。【解決手段】少なくとも３つの表示パネル１０１ａ、１０１ｂ、１０１ｃ、１０１ｄを配列して画像を表示する画像表示装置１００において、表示パネル１０１ａ、１０１ｂ、１０１ｃ、１０１ｄは、画像信号に応じた光を射出する複数の画素１０４と、画素１０４からの光を回折させる回折格子面１０８ａを備えるブレーズ型回折格子１０８とを有し、表示パネル１０１ａ、１０１ｂ、１０１ｃ、１０１ｄを配列したときに、表示パネル間に画素１０４が存在しない継目領域１１０が形成され、回折格子面１０８ａは、複数の画素１０４からの光を継目領域１１０上へ導くような回折格子面１０８ａの向き、及び複数の画素１０４が形成されている基準面１０８ｂと回折格子面１０８ａとのなす傾斜角θを有する。【選択図】      図２
2005017614.tif 000002
【特許請求の範囲】
【請求項１】
少なくとも３つの表示パネルを配列して画像を表示する画像表示装置において、
前記表示パネルは、画像信号に応じた光を射出する複数の画素と、前記画素からの光を偏向させる偏向面を備える光路偏向部と、を有し、
少なくとも３つの前記表示パネルを配列したときに、前記表示パネル間に前記画素が存在しない継目領域が形成され、
前記偏向面は、前記複数の画素からの光を前記継目領域上へ導くような前記偏向面の向き、及び前記複数の画素が形成されている基準面と前記偏向面とのなす角度、を有することを特徴とする画像表示装置。
【請求項２】
前記光路偏向部は、楔形状のプリズム部材であり、
前記偏向面は、前記画素からの光を屈折させ前記継目領域上へ導く前記プリズム部材の斜面であることを特徴とする請求項１に記載の画像表示装置。
【請求項３】
前記光路偏向部は、ブレーズ型回折格子であり、
前記偏向面は、前記画素からの光を回折させ前記継目領域上へ導く前記ブレーズ型回折格子の回折格子面であることを特徴とする請求項１に記載の画像表示装置。
【請求項４】
少なくとも３つの前記表示パネルは、それぞれ前記プリズム部材又は前記ブレーズ型回折格子を有していることを特徴とする請求項２又は３に記載の画像表示装置。
【請求項５】
前記表示パネルは、液晶表示パネルであり、
前記液晶表示パネルへ照明光を供給する光源をさらに有することを特徴とする請求項１〜４のいずれか一項に記載の画像表示装置。
【請求項６】
前記表示パネルは、有機エレクトロルミネッセンス・パネル又は無機エレクトロルミネッセンス・パネルであることを特徴とする請求項１〜４のいずれか一項に記載の画像表示装置。
【請求項７】
前記表示パネルは、前記画素の近傍に設けられ、前記画素からの光を前記光路偏向部の方向へ導く放射角変換部をさらに有することを特徴とする請求項６に記載の画像表示装置。
【発明の詳細な説明】
【０００１】
【発明の属する技術分野】
本発明は、画像表示装置、特に複数の画像表示パネルを接合して大画面を得る画像表示装置に関する。
【０００２】
【従来の技術】
画像表示装置として、例えば、液晶表示パネルや、有機又は無機のエレクトロルミネッセンス（以下、適宜「ＥＬ」という。）パネルなどの平面表示パネルが知られている。そして、近年、大画面な画像表示装置に対するニーズが増加している。ここで、液晶表示パネルでは、その生産性、開口率、表示の均一性などの点から大画面で高精細な単一のパネルを製造することは困難である。また、ＥＬ表示パネルでは、機械的な強度の点、及び電極の抵抗の増大に伴って駆動電圧を高める必要がある点等から、大画面の単一のパネルを製造することは困難である。このため、ユニット化された表示パネルを、タイル状に複数配列することが大画面化の有力な方法となる。複数の表示パネルを配列して一つの大画面の画像表示装置を構成する方法がいくつか提案されている（例えば、特許文献１〜４）。
【０００３】
【特許文献１】
特開２００２−３７２９２８号公報
【特許文献２】
特開２００１−９２３８９号公報
【特許文献３】
特開平１０−２０２７０号公報
【特許文献４】
特開平５−１８８８７３号公報
【０００４】
【発明が解決しようとする課題】
複数の表示パネルを配列して接合する場合、接合部近傍に画素が存在しない継目が生ずる。継目の領域は、表示パネルの画素ピッチよりも広い間隔において画素が形成されていない非表示領域である。このため、表示パネル間の継目は、接合された大画面内において、例えば直線状の黒い帯として観察者に認識されてしまう。このため、継目が存在する画像は、その品質が低くなってしまう。
【０００５】
継目を目立たなくする方法としては、継目の幅を画素ピッチ以内となるように表示パネルどうしを光学接着剤により精密に接合することが考えられる。このように構成すれば、観察者は、例えば画素間の非表示領域と継目とを識別することがなくなる。しかしながら、高精細化するほど画素ピッチは小さくなる。これに対して、継目領域では、表示パネルを接合するためにある程度の幅が必要となる。このため、継目の幅と画素ピッチとを略一致させる場合、画素ピッチを小さくする高精細化は困難である。
【０００６】
また、表示パネルでは、矩形状の複数の画素が略直交する格子状に配列されている。従って、第１の方向の画素ピッチと、第１の方向に略直交する第２の方向の画素ピッチとの２つの画素ピッチがある。このため、複数の表示パネルを１次元方向（第１の方向）へ配列する場合は、第１の方向の画素ピッチをある程度以上小さくすることは困難である。
【０００７】
さらに、例えば４枚の表示パネルを、２枚ずつ略直交する２次元方向へ配列する場合は、直交する直線状に継目が形成される。このため、第１の方向の画素ピッチと、第２の方向の画素ピッチとの両方の画素ピッチをある程度以上小さくすることは困難である。画素ピッチを小さくできないため、画素の開口部の寸法を大きくできない。このため、複数の表示パネルを配列する画像表示装置の場合、継目を目立たなくしようとすると、高精細化が困難で、開口率の低下を生じるため問題である。特に、表示パネルを２次元方向に配列する画像表示装置の場合に、これらの問題は顕著となる。
【０００８】
本発明は、上述の問題点を解決するためになされたものであり、複数の表示パネルを配列して構成する画像表示装置において、継目が目立たずに、高精細で高い開口率の画像表示装置を提供することを目的とする。
【０００９】
【課題を解決するための手段】
上記課題を解決し、目的を達成するために、本発明によれば、少なくとも３つの表示パネルを配列して画像を表示する画像表示装置において、前記表示パネルは、画像信号に応じた光を射出する複数の画素と、前記画素からの光を偏向させる偏向面を備える光路偏向部と、を有し、少なくとも３つの前記表示パネルを配列したときに、前記表示パネル間に前記画素が存在しない継目領域が形成され、前記偏向面は、前記複数の画素からの光を前記継目領域上へ導くような前記偏向面の向き、及び前記複数の画素が形成されている基準面と前記偏向面とのなす角度、を有することを特徴とする画像表示装置を提供できる。
【００１０】
少なくとも３つの複数の表示パネルを配列して、１つの画像を表示する場合、表示パネルどうしの間に継目領域を生ずる。継目領域には画素が存在していないため、観察者が継目領域を認識することで、画像の質が劣化してしまう。本発明では、前記偏向面は、前記複数の画素からの光を前記継目領域上へ導くような前記偏向面の向き、及び前記複数の画素が形成されている基準面と前記偏向面とのなす角度、を有する。これにより、画素からの光は、光路偏向部の偏向面により、継目領域上へ進行方向を偏向される。この結果、画像表示装置を観察する観察者は、継目領域上に画素からの光を認識するので、継目領域を目立たなくすることができる。また、画素ピッチと継目の幅とを略一致させる必要がない。このため、各画素の寸法を大きくすることで高い開口率、及び高精細化できる。また、表示パネルを２次元方向へ接合する場合でも、継目を目立たないようにし、かつ高い開口率と高精細化を達成できる。このため、容易に画面を大型化することができる。なお、さらに好ましくは、前記偏向面は、前記複数の画素からの光を、継目領域上へ重複することなく、即ち隙間なく導くことが望ましい。
【００１１】
また、本発明の好ましい態様によれば、前記光路偏向部は、楔形状のプリズム部材であり、前記偏向面は、前記画素からの光を屈折させ前記継目領域上へ導く前記プリズム部材の斜面であることが望ましい。プリズム部材、特にシート状のプリズム部材は容易に製造することができる。本態様では、プリズム部材、例えば、シート状のプリズム部材を画素からの光が射出する側に設ける。プリズム部材は、入射光を屈折させて射出する。このため、プリズム部材は、射出光の方向を入射光の方向に対して屈折することで偏向できる。この結果、画素からの光を偏向させて、継目領域上へ導くことができる。従って、簡便な構成で継目領域を目立たなくすることができる。
【００１２】
また、本発明の好ましい態様によれば、前記光路偏向部は、ブレーズ型回折格子であり、前記偏向面は、前記画素からの光を回折させ前記継目領域上へ導く前記ブレーズ型回折格子の回折格子面であることが望ましい。ブレーズ型回折格子は、入射光を回折させて射出する。このため、ブレーズ型回折格子は、射出光の方向を入射光の方向に対して回折することで偏向できる。この結果、画素からの光を偏向させて、継目領域上へ導くことができる。従って、簡便な構成で継目領域を目立たなくすることができる。
【００１３】
また、本発明の好ましい態様によれば、少なくとも３つの前記表示パネルは、それぞれ前記プリズム部材又は前記ブレーズ型回折格子を有していることが望ましい。これにより、各表示パネルごとに、画素からの光を偏向、例えば屈折又は回折させる方向と量とを別個に制御することができる。
【００１４】
また、本発明の好ましい態様によれば、前記表示パネルは、液晶表示パネルであり、前記液晶表示パネルへ照明光を供給する光源をさらに有することが望ましい。これにより、複数の液晶表示パネルを配列するときに、継目領域を目立たなくすることができる。
【００１５】
また、本発明の好ましい態様によれば、前記表示パネルは、有機エレクトロルミネッセンス・パネル又は無機エレクトロルミネッセンス・パネルであることが望ましい。これにより、複数の有機エレクトロルミネッセンス・パネル又は無機エレクトロルミネッセンス・パネルを配列するときに、継目領域を目立たなくすることができる。
【００１６】
また、本発明の好ましい態様によれば、前記表示パネルは、前記画素の近傍に設けられ、前記画素からの光を前記光路偏向部の方向へ導く放射角変換部をさらに有することが望ましい。有機ＥＬパネル又は無機ＥＬパネルの画素からの光の放射（射出）角度は、大きい範囲に分布している。例えば、画素からの光のうち、平面的な表示パネルの略法線の方向に沿って進行する光は、観察者は認識することができる。これに対して、画素からの光のうち、平面的な表示パネルに略平行な方向（いわゆる光軸との成す角度が大きい方向）に進行する光は、画像表示に有効に用いることができない。本態様では、放射角変換部により、画素から射出した光を、光路偏向部の方向へ導くことができる。この結果、画素からの光を有効に利用することができる。放射角変換部の例として、断面が略三角形形状の反射部材を画素周辺に設けること、又は画素からの発散光を収束させる集光レンズを画素上に設けること等を挙げることができる。
【００１７】
【発明の実施の形態】
以下に添付図面を参照して、本発明の好適な実施形態を詳細に説明する。
（第１実施形態）
図１は、第１実施形態に係る画像表示装置１００を斜視方向から見た概観構成を示す。少なくとも３つの表示パネルに対応する４枚の平面状の表示パネル１０１ａ、１０１ｂ、１０１ｃ、１０１ｄが、横方向と縦方向（図のｘ、ｙ方向）にそれぞれ２枚ずつ配列されている。表示パネル１０１ａと表示パネル１０１ｂとの接合部近傍のｘｚ面内の断面構成を図２（ａ）、（ｂ）に示す。表示パネル１０１ｃ、１０１ｄの構成も表示パネル１０１ａ、１０１ｂと同一であるため、図示とその説明は省略する。
【００１８】
図２（ａ）において、表示パネル１０１ａ、１０１ｂは、それぞれ複数の画素１０４を有する有機ＥＬパネルである。画素１０４は、画素ピッチＰで略直交する格子状に形成されている。そして、画素１０４は、画像信号に応じて自発光する。まず、硝子の平行平板である第１の補助プレート１０２上には、画素１０４を駆動するためのＴＦＴ基板１０３が形成されている。ＴＦＴ基板１０３上には、画素１０４が設けられている。そして、画素１０４を封止するように保護層１０５が形成されている。さらに、第１の補助プレート１０２に対向するように、硝子部材からなる第２の補助プレート１０７が設けられている。
【００１９】
表示パネル１０１ａと表示パネル１０１ｂとは、光学的接着剤で接合される。
光学的接着剤は、表示パネル１０１ａ、１０１ｂを構成する第２の補助プレート１０７の屈折率と略同一の屈折率を有する。そして、表示パネル１０１ａと表示パネル１０１ｂとの接合部には、直線状の継目１０９が存在する。また、画素１０４の近傍の保護層１０５には、画素１０４からの光を後述する光路偏向部の方向へ導く放射角変換部である断面が略三角形形状の反射ミラー１０６が設けられている。有機ＥＬパネルの画素１０４からの光の射出角度は、大きい範囲に分布している。例えば、画素１０４からの光のうち、平面的な表示パネルの略法線の方向（図中ｚ軸の方向）に沿って進行する光は、観察者は認識することができる。これに対して、画素１０４からの光のうち、平面的な表示パネルに略平行な方向、例えばｚ軸との成す角度が大きい方向に進行する光は、画像表示に有効に用いることができない。本実施形態では、略三角形形状の反射ミラー１０６により、画素１０４から射出した光を、後述する光路偏向部の方向へ導くことができる。この結果、画素１０４からの光を有効に利用することができる。また、放射角変換部の他の例として、図２（ｃ）に示すような、マイクロレンズ２０６を画素１０４に対応する位置に設けることを挙げることができる。マイクロレンズ２０６は、画素１０４から発散して射出される光の放射角度（画素から射出する光の角度）を小さくなるように変換する。これにより、画素１０４からの光を有効に後述する光路偏向部の方向へ導くことができる。
【００２０】
次に、図２（ｂ）に示すように、画素１０４からの光は、光の進行方向を偏向させる光路偏向部であるブレーズ型回折格子１０８に入射する。ブレーズ型回折格子１０８は、周期的に繰り返して形成されている偏向面である回折格子面１０８ａを有する。回折格子面１０８ａは、画素１０４からの光を回折させることで偏向して後述する継目領域上へ導く機能を有する。ここで、回折格子面１０８ａは、基準面１０８ｂと傾斜角θをなしている。
【００２１】
ブレーズ型回折格子１０８による回折作用について図３を参照して、さらに詳しく説明する。画素１０４（不図示）の位置Ｐ１からの光は、ブレーズ型回折格子１０８の回折格子面１０８ａにより回折される。観察者が、回折格子面１０８ａで回折された光を観察した場合、画素１０４上の位置Ｐ１は、みかけの位置Ｐ２へシフト量Ｓだけ移動（シフト）する。画素１０４が移動するシフト量Ｓは、傾斜角θとブレーズ型回折格子１０８の厚さｄとに対応する。また、画素１０４が移動する方向は、回折格子面１０８ａである斜面を形成する向きに対応する。
このように、観察者は、ブレーズ型回折格子１０８を介して、位置が所定量及び所定方向へシフトした見かけ上の画素を観察できる。
【００２２】
図４に、画像表示装置１００を観察する側から見た様子を示す。４つの表示パネルを略直交するｘ方向、ｙ方向にそれぞれ２つずつ配列している。各表示パネル１０１ａ、１０１ｂ、１０１ｃ、１０１ｄの間には、画素１０４が存在しない継目領域１１０が形成されている。各表示パネル１０１ａ、１０１ｂ、１０１ｃ、１０１ｄごとに設けられているブレーズ型回折格子１０８は、画素１０４からの光を、画像表示装置１００の中心位置１１１へ向かって継目領域１１０上へ導くような向き、傾斜角θ及び厚さｄを有する。
【００２３】
これにより、図５（ａ）に示すように、各表示パネル１０１ａ、１０１ｂ、１０１ｃ、１０１ｄは、継目領域１１０の中心近傍の方向へみかけ上移動する。この結果、図５（ｂ）に示すように、観察者は継目領域１１０を認識することがない。このように、画素１０４からの光は、回折格子面１０８ａにより、継目領域１１０上へ進行方向を回折作用により偏向される。この結果、画像表示装置１００を観察する観察者は、継目領域１１０上に画素１０４からの光を認識するので、継目領域１１０を目立たなくすることができる。また、本実施形態では、画素ピッチＰと継目の幅とを略一致させる必要がない。このため、各画素１０４の寸法を大きくして高い開口率とすること、及び高精細化することができる。また、表示パネルを２次元方向へ接合する場合でも、継目を目立たないようにし、かつ高い開口率と高精細化を達成できる。このため、容易に画面を大型化することができる。なお、さらに好ましくは、回折格子面１０８ａは、複数の画素１０４からの光を、継目領域１１０上へ重複することなく、即ち隙間なく導くことが望ましい。
【００２４】
（第１実施形態の変形例）
図６（ａ）、（ｂ）は、上記第１実施形態の変形例の概略構成を示す。上記第１実施形態では、光路偏向部としてブレーズ型回折格子１０８を用いている。これに対し、本変形例は、図６（ａ）に示すように光路偏向部として楔形状のプリズム部材６０８を用いている点が異なる。プリズム部材６０８の斜面６０８ａは、画素１０４からの光を屈折することで偏向させて継目領域１１０（図５）上へ導く。さらに、図６（ｂ）に本変形例の拡大した断面を示す。画素１０４からの光のうち、プリズム部材６０８の底面に略垂直に入射した光は、斜面６０８ａにおいて屈折されることで進行方向を偏向させる。プリズム部材６０８は、画素１０４からの光を継目領域１１０（図５）上へ導くような向き、傾斜角θ及び厚さｄを有する。
【００２５】
プリズム部材、特にシート状のプリズム部材６０８は容易に製造することができる。本変形例では、プリズム部材、例えば、シート状のプリズム部材６０８を画素１０４からの光が射出する側に設ける。上述のようにプリズム部材６０８は、入射光を屈折させて射出する。このため、プリズム部材６０８は、射出光の方向を入射光の方向に対して屈折することで偏向できる。この結果、画素１０４からの光を偏向させて、継目領域１１０上へ導くことができる。従って、簡便な構成で継目領域１１０を目立たなくすることができる。なお、有機ＥＬパネルに限られず、無機ＥＬパネルでも同様の構成にできることは言うまでもない。
【００２６】
（第２実施形態）
図７（ａ）、（ｂ）は、本発明の第２実施形態に係る画像表示装置７００の概略構成を示す。画像表示装置７００は、図７（ａ）の斜視図に示すように、９つの表示パネル７０１ａ、７０１ｂ、７０１ｃ、７０１ｄ、７０１ｅ、７０１ｆ、７０１ｇ、７０１ｈ、７０１ｉを３×３の行列状に配列したものである。図７（ｂ）は、観察者の方向から見た構成を示す。９つの表示パネルのうち、中心位置の表示パネル７０１ｅは、ブレーズ型回折格子を有していない。これに対して、中心位置の表示パネル７０１ｅの周辺の８つの表示パネル７０１ａ、７０１ｂ、７０１ｃ、７０１ｄ、７０１ｆ、７０１ｇ、７０１ｈ、７０１ｉには、それぞれ個別のブレーズ型回折格子７０８が設けられている。各ブレーズ型回折格子７０８は、画素１０４からの光を継目領域７１０（図８（ａ））上へ導くような向き、傾斜角θ及び厚さｄを有する。
【００２７】
これにより、図８（ａ）の矢印で示すように、８つの表示パネル７０１ａ、７０１ｂ、７０１ｃ、７０１ｄ、７０１ｆ、７０１ｇ、７０１ｈ、７０１ｉは、中心近傍の表示パネル７０１ｅの方向へみかけ上移動する。この結果、図８（ｂ）に示すように、観察者は継目領域７１０を認識することがない。このように、画素１０４からの光は、回折格子面により、継目領域７１０上へ進行方向を回折作用により偏向される。この結果、画像表示装置７００を観察する観察者は、継目領域７１０上に画素１０４からの光を認識するので、継目領域７１０を目立たなくすることができる。なお、さらに好ましくは、ブレーズ型回折格子７０８の回折格子面、複数の画素１０４からの光を、継目領域７１０上へ重複することなく、即ち隙間なく導くことが望ましい。
【００２８】
（第３実施形態）
図９（ａ）、（ｂ）は、本発明の第３実施形態に係る画像表示装置９００の概略構成を示す。画像表示装置９００は、図９（ａ）の斜視図に示すように、３つの表示パネル９０１ａ、９０１ｂ、９０１ｃをｘ方向に沿って配列したものである。図９（ｂ）は、観察者の方向から見た構成を示す。３つの表示パネル９０１ａ、９０１ｂ、９０１ｃのうち、中心位置の表示パネル９０１ｂは、ブレーズ型回折格子を有していない。これに対して、中心位置の表示パネル９０１ｂの周辺の２つの表示パネル９０１ａ、９０１ｃには、それぞれ個別のブレーズ型回折格子９０８が設けられている。各ブレーズ型回折格子９０８は、画素１０４からの光を継目領域７１０（図１０（ａ））上へ導くような向き、傾斜角θ及び厚さｄを有する。
【００２９】
これにより、図１０（ａ）の矢印で示すように、２つの表示パネル９０１ａ、９０１ｃは、中心近傍の表示パネル９０１ｂの方向へみかけ上移動する。この結果、図１０（ｂ）に示すように、観察者は継目領域９１０を認識することがない。このように、画素１０４からの光は、回折格子面により、継目領域９１０上へその進行方向を回折作用により偏向される。この結果、画像表示装置９００を観察する観察者は、継目領域７１０上に画素１０４からの光を認識するので、継目領域９１０を目立たなくすることができる。なお、さらに好ましくは、ブレーズ型回折格子９０８の回折格子面は、複数の画素１０４からの光を、継目領域９１０上へ重複することなく、即ち隙間なく導くことが望ましい。
【００３０】
（第４実施形態）
図１１は、本発明の第４実施形態に係る画像表示装置１１００の概略構成を示す。硝子の略平行平板からなる第１補助プレート１１０６上には、第１プレート１１０７が設けられている。第１プレート１１０７は、液晶を配向させるための配向膜、ＴＦＴ（薄膜トランジスタ）、透明電極等を有する。そして、対向電極が形成されている第２プレート１１０９と第１プレート１１０７とを対向させるように、第１補助プレート１１０６と第２補助プレート１１１２とを貼り合わせる。第１プレート１１０７と第２プレート１１０９との間には、画像表示のための液晶層１１０８が封入されている。また、液晶層１１０８の入射光側には遮光のためのブラックマトリックス部（不図示）が形成されている。
【００３１】
さらに、第２プレート１１０９の射出側には、赤色光、緑色光、青色光をそれぞれ透過させるカラーフィルタ１１１０が形成されている。カラーフィルタ１１１０の射出側には、偏光フィルム１１１１が固着された第２補助プレート１１１２が設けられている。また、第１補助プレート１１０６にも偏光フィルム１１０５が固着されている。偏光フィルム１１１１と偏光フィルム１１０５とは、いわゆるクロスニコルの状態となるように配置されている。
【００３２】
複数の光源１１０１は、液晶層１１０８へ光を供給する。各光源１１０１は、反射板１１０２を有している。反射板１１０２は、光源１１０１からの光を、効率良く液晶層１１０８の方向へ反射させる。光源１１０１からの光は、拡散板１１０３を透過して、レンズシート１１０４に入射する。この構成により、光源１１０１からの光は、拡散された後、略均一な強度となって液晶層１１０８へ入射する。
【００３３】
本実施形態に係る画像表示装置１１００は、上記各実施形態で説明したものと同様な構成のブレーズ型回折格子１１１３を有している。これにより、液晶表示パネルにおいても、画素１０４からの光を回折により偏向させて、継目１１１４近傍の継目領域１１０（図５（ａ））上へ導くことができる。従って、簡便な構成で継目領域１１０を目立たなくすることができる。また、ブレーズ型回折格子１１１３の代わりに、上記第１実施形態の変形例で説明したような楔形状のプリズム部材６０８（図６）を用いても良い。
【００３４】
なお、上記実施形態では、有機又は無機のＥＬ表示パネル、及び液晶表示パネルの例を用いて説明したが、本発明はこれに限られること無く、複数の平面表示パネルを配列して大型の画面を形成する、いわゆるタイリング型のすべての画像表示装置に対して適用することができる。
【図面の簡単な説明】
【図１】本発明の第１実施形態に係る画像表示装置の斜視図。
【図２】第１実施形態の概略断面図。
【図３】第１実施形態のブレーズ型回折格子の説明図。
【図４】第１実施形態のブレーズ型回折格子の他の説明図。
【図５】第１実施形態の画素の移動の説明図。
【図６】第１実施形態の変形例の概略断面図。
【図７】本発明の第２実施形態に係る画像表示装置の概略構成図。
【図８】第２実施形態の画素の移動の説明図。
【図９】本発明の第３実施形態に係る画像表示装置の概略構成図。
【図１０】第３実施形態の画素の移動の説明図。
【図１１】本発明の第４実施形態に係る画像表示装置の概略断面図。
【符号の説明】
１００  画像表示装置、１０１ａ、１０１ｂ、１０１ｃ、１０１ｄ  表示パネル、１０２  補助プレート、１０３  基板、１０４  画素、１０５  保護層、１０６  反射ミラー、１０７  補助プレート、１０８  ブレーズ型回折格子、１０８ａ  回折格子面、１０８ｂ  基準面、１０９  継目、１１０  継目領域、２０６マイクロレンズ、６０８  プリズム部材、６０８ａ  斜面、７００  画像表示装置、７０１ａ〜７０１ｉ  表示パネル、７０８  ブレーズ型回折格子、７１０継目領域、９００  画像表示装置、９０１ａ〜９０１ｃ  表示パネル、９０８ブレーズ型回折格子、９１０  継目領域、１１００  画像表示装置、１１０１光源、１１０２  反射板、１１０３  拡散板、１１０４  レンズシート、１１０５  偏光フィルム、１１０６  第１補助プレート、１１０７  第１プレート、１１０８  液晶層、１１０９  第２プレート、１１１０  カラーフィルタ、１１１１  偏光フィルム、１１１２  第２補助プレート、１１１３  ブレーズ型回折格子、Ｐ  画素ピッチ、Ｐ１  位置、Ｐ２  位置、Ｓ  シフト量、θ  傾斜角
【図１】
2005017614.tif 000003
【図２】
2005017614.tif 000004
【図３】
2005017614.tif 000005
【図４】
2005017614.tif 000006
【図５】
2005017614.tif 000007
【図６】
2005017614.tif 000008
【図７】
2005017614.tif 000009
【図８】
2005017614.tif 000010
【図９】
2005017614.tif 000011
【図１０】
2005017614.tif 000012
【図１１】
2005017614.tif 000013